(57)【特許請求の範囲】
【請求項１】
左右１対の脚体によって支持された天板に、上方に開口する配線口を設けたテーブルにおいて、
前記配線口の下方に、左右方向の配線ダクトを設けるとともに、この配線ダクトの底板における前後方向の中央部の下面に、下向きコ字状の下方に開口する左右方向の凹溝を形成し、この底板下面の凹溝により底板上面に形成された上向き凸条部により、配線ダクトを前後に区画し、前後１対の樋状の配線溝を備える配線ダクトとし、左右１対の脚体を、伸縮機構を備えるものとし、かつ、前記脚体の上端同士を、左右方向を向く前後１対の連結杆により連結し、この連結杆上に天板を取り付けるとともに、各連結杆間に配線ダクトを架設し、左右の脚体の伸縮機構同士を同期連動する、両昇降脚の上部間に架設された連動杆を、前後１対の連結杆の間に配設するとともに、配線ダクトの凹溝内に収容したことを特徴とするテーブル。
【請求項２】
配線ダクトにおける底板上面の上向き凸条部の上面にキャッチ部品を取り付け、このキャッチ部品に、配線口を閉塞するカバーを着脱自在に取り付けたことを特徴とする請求項１記載のテーブル。
【発明の詳細な説明】
【技術分野】
【０００１】
本発明は、ＯＡ機器等に配線する配線口を天板の中央部に設けたテーブルに関する。
【背景技術】
【０００２】
従来、天板に載置したＯＡ機器に配線する配線口を天板の中央部に設け、配線口から下方へコードや電線等（以下、コード類と称す）を配線するようにしたテーブルは公知である。
【０００３】
また、コード類を配線口から下方に配線する場合、そのままではコード類が配線口の下方でばらけてしまい、収まりがよくないため、配線口の下方に配線ダクトを設けることが望ましい。しかし、天板の下方にテーブル昇降用の連動杆、あるいは連結杆その他の部材が存在する構造のテーブルでは、これらが邪魔になり、配線ダクトを設けることができなかった。
【０００４】
また、天板の配線口の下方にＯＡ機器を収納可能な大型の箱状の収納部を取り付けた発明が公知である（例えば、特許文献１参照）。
【０００５】
しかし、特許文献１に記載されているテーブルのように、天板の配線口の下方にＯＡ機器を収納可能な収納部を取り付ける構造は、天板下方に大きな空間がある場合には適用可能であるが、連動杆、連結杆、その他の部材が下方に存在する構造のテーブルでは、これらが干渉しあうため、収納部を設置することはできないという問題があった。
【特許文献１】特開２００２−２５３３６１号公報
【発明の開示】
【発明が解決しようとする課題】
【０００６】
本発明は、従来の技術が有する上記のような問題点に鑑み、コード類を体裁よく収めることができるようにしたテーブルを提供することを目的としている。
【課題を解決するための手段】
【０００７】
上記課題は、特許請求の範囲における各請求項に示すように、下記の構成を備える発明によって解決される。
(１)  左右１対の脚体によって支持された天板に、上方に開口する配線口を設けたテーブルにおいて、前記配線口の下方に、左右方向の配線ダクトを設けるとともに、この配線ダクトの底板における前後方向の中央部の下面に、下向きコ字状の下方に開口する左右方向の凹溝を形成し、この底板下面の凹溝により底板上面に形成された上向き凸条部により、配線ダクトを前後に区画し、前後１対の樋状の配線溝を備える配線ダクトとし、左右１対の脚体を、伸縮機構を備えるものとし、前記脚体の上端同士を、左右方向を向く前後１対の連結杆により連結し、この連結杆上に天板を取り付けるとともに、各連結杆間に配線ダクトを架設し、左右の脚体の伸縮機構同士を同期連動する、両昇降脚の上部間に架設された連動杆を、前後１対の連結杆の間に配設するとともに、配線ダクトの凹溝内に収容する。
【０００８】
(２)  上記(１)項において、配線ダクトにおける底板上面の上向き凸条部の上面にキャッチ部品を取り付け、このキャッチ部品に、配線口を閉塞するカバーを着脱自在に取り付ける。
【発明の効果】
【０００９】
本発明によると、次のような効果を奏することができる。
請求項１記載の発明によると、配線口下方に設けた配線ダクトにより、コード類を体裁よく収めることができるとともに、配線ダクトに凹溝を設けたことにより、配線口下方の連動杆や連結杆との干渉を避けて配線ダクトを設置することができ、かつ凹溝により仕切られた前後１対の樋状の配線溝にコード類を分けて収納することができる。
【００１０】
また、脚体伸縮機構の連動杆を、配線ダクトの凹溝内に収容することにより、連動杆との干渉を避けて配線ダクトを設置することができる。
【００１１】
さらに、天板取付用の連結杆を利用して配線ダクトを簡単に取り付けることができる。
【００１２】
請求項２記載の発明によると、配線ダクトの凹溝を利用して配線口カバーのキャッチ部品を取り付けることができる。
【発明を実施するための最良の形態】
【００１３】
以下、本発明の実施の形態を、添付図面を参照して説明する。
図１は、本発明のテーブル斜視図、図２は、天板を取り外した状態の斜視図、図３は、要部の分解斜視図である。
【００１４】
各図に示すように、本実施形態に係わるテーブルは昇降式のもので、左右１対の脚体(１)(１)と、これらの脚体(１)(１)によって支持された天板(２)とを有し、天板(２)には上方に開口する配線口(３)が設けられている。
【００１５】
両脚体(１)(１)は、図２に示すように、下端部のベース脚(1a)に伸縮自在に上下２段の昇降脚(1b)(1c)が連結されて構成されている。上段の昇降脚(1c)上にアーム(４)が前後方向に固定され、左右のアーム(４)(４)同士は平行をなす前後の連結杆(５)(５)により連結されている。これらのアーム(４)(４)および連結杆(５)(５)上に天板(２)が取り付けられている。上下２段の昇降脚(1b)(1c)は、伸縮機構(６)により、ベース脚(1a)に対して昇降し得るようになっている。伸縮機構(６)は、連結杆(５)に取り付けられたコントローラ(７)により制御されるモータ(８)と、両連結杆(５)(５)の間に水平に配設され、モータ(８)により駆動される連動杆(９)と、アーム(４)および昇降脚(1b)(1c)内に設けられ、連動杆(９)により回転駆動されるねじ機構（図示せず）とからなり、モータ(８)により左右の昇降脚(1b)(1c)を同期昇降させて天板(２)を昇降させるようになっている。
【００１６】
両連結杆(５)(５)の間には、図３に示すように、配線口(３)の下方に位置する配線ダクト(10)が設けられている。配線ダクト(10)は、左右方向の底板(11)の前後方向の中央部から上向きに立ち上がる前後１対の上向きの内側板(12)(12)と、これらの内側板(12)(12)の上端を連結する上面板(13)とにより下向きコ字状の下方に開口する左右方向の凹溝(14)を底板(11)下面に形成し、底板(11)の前後の外端より起立する１対の上向きの外側板(15)(15)と、内側板(12)(12)と、底板(11)とにより、前後１対の樋状の配線溝(16)(16)を形成して構成されている。図２に示すように、底板(11)には、コード類(41)を下方に向かって挿通可能な配線孔(17)を設けてある。
【００１７】
配線ダクト(10)は、前後の外側板(15)を各連結杆(５)の内面に、ねじ止め等により固定するとともに、連動杆(９)を配線ダクト(10)の凹溝(14)内に収容してある。
【００１８】
上記実施形態は、昇降式テーブルの例であるが、昇降式でない場合には、別実施形態を示す図７に示すように、連動杆(９)に代えて、補強のため、左右のアーム(４)(４)間に中間連結杆(18)を連結することが好ましい。この場合には、配線ダクト(10)における凹溝(14)を中間連結杆(18)に嵌合させることにより、配線ダクト(10)と中間連結杆(18)の干渉を避けるとともに、配線ダクト(10)の取り付けを安定させることができる。
【００１９】
図４は、図１におけるIV〜IV線断面図である。
図３および図４に示すように、配線ダクト(10)の上面板(13)の上部には、配線口(３)を閉塞するカバー(19)を着脱自在に装着するためのキャッチ部品(20)が取り付けられている。
【００２０】
キャッチ部品(20)は、配線ダクト(10)の上面板(13)の上面に取り付けられたベース(21)と、このベース(21)のスリット(22)に爪(23)を係止させることにより、ベース(21)に固定された係止部材(24)とからなる。ベース(21)は、左右方向の内側端縁から垂下された折曲片(25)の下端の前後方向の中央に、上向きに切欠かれて形成されている溝(26)を、配線ダクト(10)における底板(11)下面の凹溝(14)を形成する前後の内側板(12)(12)と上面板(13)からなる底板(11)上面に形成された上向き凸条部(10a)に嵌合させるとともに、天板(２)の下面にねじ(27)により固定することにより、天板(２)に取り付けられている。カバー(19)の下面に形成された前後１対の係止片(28)(28)を、係止部材(24)における前後１対の係合片(29)(29)に設けられた前後方向の内向きの係合爪(29a)(29a)に係止させることにより、カバー(19)は配線口(３)に着脱自在に装着されている。なお、カバー(19)の側端縁にはゴム等からなる弾性シール片(19a)が取り付けられている。
【００２１】
図１に示すように、左右のベース脚(1a)(1a)同士は、前後に間隔をおいて平行に配設された左右方向を向く１対の垂直の連結板(30)(30)により連結されている。
【００２２】
図５は、連結板(30)とベース脚(1a)の連結部分の拡大分解斜視図であり、連結板(30)は、前後の連結板(30)(30)のうち、後方の連結板(30)のみを示してある。
連結板(30)は、前後方向の外側に設けられた本体(31)と、本体(31)の内側に取り付けられる化粧カバー(32)とからなる。本体(31)は、金属板の上端縁を内側下向きに折曲させた後に、その下端を外側向きに折曲してなる傾斜面(33)を設けるとともに、下端縁に断面外側向きコ字状の折曲部(34)を形成し、かつ左右両端に取付部(35)を内側向きに折曲形成して構成されている。取付部(35)に穿設された左右方向の通孔(36)にねじ(37)を挿入し、ベース脚(1a)のねじ孔(38)にねじ込むことにより、本体(31)はベース脚(1a)に固定されている。
化粧カバー(32)は断面外側向きコ字状に形成されており、上下縁片(32a)(32a)に上下方向の外側に突出させて設けた爪(39)(39)を傾斜面(33)の下端および折曲部(34)の上端に係止させることにより、本体(31)の内側を覆うようにして、本体(31)に取り付けられている。
【００２３】
図２および図６に示すように、モータ(８)に電力を供給するための電線(40)が前後１対の連結板(30)(30)間を経由して配線され、あるいは配線ダクト(10)を通じて天板(２)上の電気機器類（図示せず）に電力を供給するコード類(41)も配線口(３)から両連結板(30)(30)間を経由するように配線されている。このように、電線(40)およびコード類(41)を前後の連結板(30)(30)間に収めることにより、ばらけることが防止されるため、外観が損なわれることを防ぐことができる。
【００２４】
図６に示すように、電線(40)を前後の連結板(30)(30)間を通した場合、電線(40)が連結板(30)の上端縁の角部に接触して損傷されやすいが、上端縁に内側に向かって下向き傾斜する傾斜面(33)を設けることにより、電線(40)が傾斜面(33)に沿って配線されるため、損傷が防止される。なお、コード類についても同様である。
【００２５】
また、必要に応じて、図６に示すように、前後の連結板(30)(30)の間に上向きコ字状の配線受け(42)を取り付け、この配線受け(42)に電線(40)を収容するようにすることもできる。
【００２６】
また、図２に示すように、前後の連結板(30)(30)間の真上に、伸縮機構(６)の駆動装置、すなわち、コントローラ(７)、モータ(８)および連動杆(９)を配設したことにより、これらの補修、交換の作業が前後に離間した連結板(30)(30)間を通して行うことが可能となり、作業が容易になる。
【図面の簡単な説明】
【００２７】
【図１】本発明のテーブルの一実施形態の斜視図である。
【図２】図１の天板を取り外した斜視図である。
【図３】テーブルの要部分解斜視図である。
【図４】図１におけるIV〜IV線断面図である。
【図５】連結板とベース脚の連結形態を示す拡大分解斜視図である。
【図６】駆動装置への配線状態を示す説明図である。
【図７】他の実施形態の図２に対応する斜視図である。
【符号の説明】
【００２８】
(１)脚体
(1a)ベース脚
(1b)(1c)昇降脚
(２)天板
(３)配線口
(４)アーム
(５)連結杆
(６)伸縮機構
(７)コントローラ
(８)モータ
(９)連動杆
(10)配線ダクト
(10a)凸条部
(11)底板
(12)内側板
(13)上面板
(14)凹溝
(15)外側板
(16)配線溝
(17)配線孔
(18)中間連結杆
(19)カバー
(19a)弾性シール片
(20)キャッチ部品
(21)ベース
(22)スリット
(23)爪
(24)係止部材
(25)折曲片
(26)溝
(27)ねじ
(28)係止片
(29)係合片
(29a)係合爪
(30)連結板
(31)本体
(32)化粧カバー
(32a)上下縁片
(33)傾斜面
(34)折曲部
(35)取付部
(36)通孔
(37)ねじ
(38)ねじ孔
(39)爪
(40)電線
(41)コード類
(42)配線受け
【図１】
0004754943.tif 000002
【図２】
0004754943.tif 000003
【図３】
0004754943.tif 000004
【図４】
0004754943.tif 000005
【図５】
0004754943.tif 000006
【図６】
0004754943.tif 000007
【図７】
0004754943.tif 000008